(57)【要約】【課題】３次元の火は、３次元の水をかければ火は消える。ならば４次元の原子力の火は、４次元の水をかければ放射能は消える。その４次元の水を提供する。【解決手段】モチダの４次元同体相対性理論がなければ導けない。３次元の水を４次元にする。すなわちＨ３Ｏにする。３次元を求める公式は１＋２＝３である。何故なら陸を求めるとその後に海と空が導ける。現在を求めると過去と未来が導ける。朝を求めると昼と晩を導けるからである。４次元を求める公式は、１＋３＝４である。何故なら北を求めるとその後に西と東と南が導ける。自分を求めると父と母と兄弟を導ける。土台を求めると柱と屋根と壁が導けるからである。この世は３次元と４次元の細胞で出来ている。このように理論で１＋２＝３次元。１＋３＝４次元となっているので、Ｈ２をＨ３にして酸素を足せばＨ３Ｏと４次元になる。毒をもって毒を制すの言葉があるように、４次元の物質には４次元の物質で対処することを特徴としている。【特許請求の範囲】
【請求項１】
水Ｈ２０をＨ３０にし、放射能を除去する４次元の水。
モチダの４次元同体相対性理論なくしては、思い浮かばない。何故ならこの世はアインシュタインが言う３次元ではなく、４次元だと分かったからである。そのことが放射能は４次元の物質であることをつきとめ、ならば４次元の原子力の火から残った放射能は水を４次元の水にすれば放射能（４）−４次元の水（４）＝０で放射能は消せると思ったのである。３次元を求める公式は１＋２＝３である。何故なら陸を求めれば海と空が導け、３つが相対関係にある。朝を求めれば昼、晩。現在を求めれば過去、未来。４次元を求める公式は、１＋３＝４である。何故なら北を求めるだけで西と東と南が導け４つが相対関係にある。土台を求めれば柱、屋根、壁。根を求めれば幹、枝、葉が相対関係になっているからである。４次元の水を作るには、３次元の水をただ４次元にするだけである。よってＨ２０をＨ３０にすれば４次元の水になるのだ。この世は３次元と４次元の細胞で出来ている。ちなみにモチダの４次元同体相対性理論は、点が１次元、線と面積が同体して２次元。角のある立体と時間が同体して３次元。球体と時間が同体して４次元である。問題はＨ２をＨ３にするにはどうすればいいのか。それは水素をヘリウムにする時と要領は同じである。ヘリウムをつくるには、水素どうしを太陽と同じ程度の温度で高速回転させ合体させＨ２にするのであるが、それを更にＨ３になるまで高温にしなければならないその火力をどこから持ってくるのか。方法はある。毒には毒をもって制すの言葉があるように、４次元の水を作るには４次元の原子力の火力を利用すればいくらでも高温にでき、水素を高速回転させればＨ３はできる。それに酸素を足して出来上がったのがＨ３０、４次元の水
【発明の詳細な説明】
【技術分野】
【０００１】この発明は日本列島は地震国である。よって地震により原子力発電所が倒壊し放射能漏れの事故があった時、放射能を除去する４次元の水に関するものである。
【背景技術】
【０００２】従来、火が消えた後は何も残らないが原子力の火は消えた後、放射能が残る。
【発明の開示】
【発明が解決しようとする課題】
【０００３】これは次のような欠点があった。
３次元のアインシュタインの科学でも手におえないこともある。
放射能は１０万年も消えずに残る。
本発明は、以上のような欠点をなくす為になされたものである。
【課題を解決する為の手段】
【０００４】原子力による放射能を除去する物質を作るには、今のアインシュタインの３次元の相対性理論では思い浮かばない。何故なら放射能は４次元の物質であるからである。
そこで私は４次元同体・相対性理論を作った。この理論により火は水をかければ火を消せるを応用し、４次元の原子力の火には、４次元の水をかければ放射能は消えると思い浮かんだのである。３次元の相対性理論とは、点が１次元。線と面積が２次元。立体が３次元とアインシュタインは言うが次元を間違えている。立体には２つの種類がある。
それは、角のある立体と角のない球体である。角のある立体は、押せば動くが押すのをやめれば止まってしまう。それに対し角のない球体は角のある立体と同じ質量なら軽く動かせ押した後も転がっていく。あるいは、テーブルの上に置いたサイコロはテーブルを少し傾けただけでは動かない。しかしビー玉はテーブルを少し傾けただけで押してもいないのに自ら動きだすのである。よって特性が違うのである。ということは、角のある立体が３次元ならば、球体は４次元である。そして地球は球体をしている。
だからこの世は４次元である。この世は４次元であるという定義がなければ放射能を除去する物質を作るアイディアは浮かばない。地球は今から約４６億年前に誕生したのである。ということは時間も一緒に流れて来たのである。つまり物体が誕生すると時間が発生するのだ。それと動物が子孫を残すメカニズムは、雄と雌で２次元。めぐり逢う。
つまり相対するが３次元。それだけでは子孫は残せない。交尾をする。つまり同体するのである。宇宙も同じである。塵とガスで２次元。それが同じ場所に集まるのが３次元そして合体して行くが４次元である。
この世は相対性の３次元だけではなく、
同体性の４次元を伴う世界なのである。よって私の理論の名は、４次元同体相対性理論である。その内容は、点が１次元。
線と面積が同体して２次元。角のある立体と時間が同体して３次元。球体と時間が同体して４次元である。この理論で宇宙がどういう形をしているかを説明できなければ失格である。説明しよう。球体は４次元である。宇宙に浮かぶ星はすべて球体をしている。ということは視点をかえると、宇宙空間がすべて４次元であるから星は球体になるのである。宇宙空間が４次元ということは点になるのか線と面積になるのか。角のある立体になるのか。４次元は球体である。よって宇宙は球体をしているのである。それと地上の空間は３次元というけれど４次元である。実験をすればすぐに解る。雪がたくさん積もった時小さな核を作ってころころ転がしたら何になるか。点になるなら１次元。
線・面積になるなら２次元。角のある立体になるなら３次元。球体になるから４次元の空間である。もうひとつ証明しなければならない事がある。
それは３次元の相対性理論が未完であることである。３次元の相対性理論で導ける時間の特性は時間は進む。時間は遅れる。時間は止まる。の３つしか導けない。
しかし私の４次元の理論ならもうひとつの特性を導ける。
地球は太陽の周りを円を描いて廻っている。という事は地球は時間を同体しているのだから時間も円を描いているのだ。直線ではない。よって４番目の時間の特性は曲がるという
ことである。どういうことかというと、人にも年齢という時間が同体している。もし貴方が歩いていＴ地路にぶつかった時、貴方が右に曲がれば貴方の時間も右に曲がるし、左に曲がれば貴方の時間も左に曲がるということである。この４次元同体相対性理論によりこの世は４次元と定義する、その事により放射能が４次元の物質で放射能を除去する物質を発明できた。放射能が４次元の物質である事を説明する。人は自らの力で動かす。リヤカーとか自転車は人力が１次元。次に人は馬を利用して馬車を動かした。
馬力が２次元。そして人は火力発電により電力を手に入れた。電力が３次元。
そして３次元の相対性理論にもとずいて原子力を手に入れた。
よって原子力が４次元となるから放射能は４次元となるのである。
次元は特性の数に比例する特性が３つなら３次元。特性が４つなら４次元。火には３つの特性があるので３次元である。１・火はまわりを明るくする。２・火は温度を上げる。３・火は消える。水にも３つの特性があるので３次元である。１・水は温度を下げる。２・水は液体、固体、気体と変化する。３・水は放射能を遮断する性質がある。原子力の火には４つの特性があるので４次元である。１・まわりを明るくする。２・温度をあげる。３・火は消える。４・放射能が残る。３次元の火に３次元の水を掛ければ３次元の火は消える。ならば４次元の原子力の火には４次元の水を掛ければ４次元の放射能は消えるのである。４次元の水を作るのは難しいが、ただ３次元の水を４次元にするだけである。
３次元を求める公式は２＋１＝３である。４次元を求める公式は３＋１＝４である。
よって水は水素が２、酸素が１でＨ２Ｏ。２＋１＝３次元。これを４次元にするには水素が３、酸素が１でＨ３Ｏ。３＋１＝４次元。これが４次元の水の分子構造である。
本発明は以上の構成よりなる４次元の水である。
【発明の効果】
【０００５】水が放射能を遮断する性質があるのは、インフルエンザと同じで３次元と４次元の型があわないからだ。そこで３次元の水を４次元にすれば型があい放射能は水に吸収されＨ３０に放射能は消されて行くのである。
Ｈ２をＨ３にすることで、放射能を消すという特性が生まれるのである。
【発明を実施する為の最良の形態】
【０００６】以下、本発明を実施する為の最良の形態について説明する。３次元の火は３次元の水をかければ火が消える。これを同体相対性理論で計算すると、火（３）−水（３）＝０となり火は消える。ならば原子力の場合は放射能（４）−４次元の水（４）＝０となり放射能は消える。この発想が４次元の水を発明することになった。水を４次元にするには０を０２にしてＨ２０２にしても４次元の水にはならず別の物質になってしまう。
何故なら０はもともと、ひとつで相対しているものがないからである。Ｈ２は水素どうしが相対の関係にある。よってＨ３にすれば相対関係は結ばれる。たとえば双子にもう一人同じ子が生まれていれば三つ子になるようなものである。よってＤＮＡにより性格が同じになるように、水の特性の水は火を消す事が引き継がれるのである。
４次元の水は何故、放射能を除去できるのかはその前に何故水は放射能を遮断できるのかを考える。それは３次元の水の型と４次元の放射能の型があわないのである。
インフルエンザの菌とお同じである。しかし水を４次元にすれば４次元の放射能と型が同じになるので水の中に放射能を吸収し、Ｈ３０が放射能を除去していくのである。
問題はＨ３をどう作るかである。要領は水素ＨをヘリウムＨ２にするのと同じである。
ヘリウムを作るには水素どうしを太陽と同じ程度の温度で高速回転させ合体させＨ２にするのであるが、それを更にＨ３になるまで高温にしなければならない。合体に要する温度が比例していれば、太陽の温度の１・５倍以上必要である。
その火力をどこからもってくるのか。方法はある。毒には毒をもって制すの言葉があるように、４次元の水を作るには、４次元の原子力の火力を利用すればいくらでも高温にでき、その原子力の火力によって高温で水素を高速回転させればＨ３はできる。
そして酸素を足せばＨ３＋０＝Ｈ３０の完成である。本発明は以上のような構造であるこれを使用する時は山火事のようなものである。放射能で汚染されている場所を水で火を消すように、４次元の水を撒いて放射能を除去していく。